(57)【要約】【課題】特定方向への衝撃の際、ランプが撓まれたりランプの固定位置から離脱されたりする現象を防止し、信頼性を向上させることができるバックライト組立体及びそれを有する表示装置を提供する。【解決手段】基底部、及び該基底部から延長され収納空間を形成する側部を含む収納容器と、前記収納容器に収納され光を発生する光源と、前記収納容器の前記基底部と前記光源との間に位置し、前記光源方向に突出され前記光源を支持する少なくとも一つの突出部を含む反射板と、前記光源の上部に配置された光学部材とを有する。【選択図】図１
2006216540.tif 000002
【特許請求の範囲】
【請求項１】
基底部、及び該基底部から延長され収納空間を形成する側部を含む収納容器と、
前記収納容器に収納され光を発生する光源と、
前記収納容器の前記基底部と前記光源との間に位置し、前記光源方向に突出され前記光源を支持する少なくとも一つの突出部を含む反射板と、
前記光源の上部に配置された光学部材と、を有することを特徴とするバックライト組立体。
【請求項２】
前記光学部材を支持して光学部材が前記光源の方向に撓むことを防止する支持部と前記光源の動きを制止する固定部とが形成された光源固定部材とをさらに有することを特徴とする請求項１に記載のバックライト組立体。
【請求項３】
前記収納容器の少なくとも一つの側部には前記光学部材の端部位を支持し、光学部材の収納位置をガイドするガイド部材をさらに有することを特徴とする請求項１に記載のバックライト組立体。
【請求項４】
前記収納容器と結合して前記光学部材を固定するモールドフレームをさらに有することを特徴とする請求項１に記載のバックライト組立体。
【請求項５】
前記光学部材は、前記光源から出射された光を拡散させる拡散板と、該拡散板から拡散された光の経路を変更させ輝度を均一に向上させる光学シートとを有することを特徴とする請求項１に記載のバックライト組立体。
【請求項６】
前記突出部は、前記光源の長さ方向と交差する方向に突出部が延長されることを特徴とする請求項１に記載のバックライト組立体。
【請求項７】
前記突出部は、前記光源の配列方向の断面形状が四角形、半円形、三角形、梯形、及びこれらの組合せのいずれか一つであることを特徴とする請求項１に記載のバックライト組立体。
【請求項８】
前記反射板は、前記光源の幅方向を基準にして交互に配置された複数の突出部を含むことを特徴とする請求項１に記載のバックライト組立体。
【請求項９】
前記突出部は、前記光源が安着されるように陥凹（ｒｅｃｅｓｓ）が形成された安着部をさらに有することを特徴とする請求項６に記載のバックライト組立体。
【請求項１０】
前記安着部は、前記光源の断面と実質的に同一の形状を有することを特徴とする請求項９に記載のバックライト組立体。
【請求項１１】
基底部、及び該基底部から延長され収納空間を形成する側部を含む収納容器と、前記収納容器に収納され光を発生する光源と、前記収納容器の前記基底部と前記光源との間に位置し前記光源を支持する突出部を有する反射板と、前記光源の上部に配置された光学部材とを有するバックライト組立体と、
前記バックライト組立体上に配置され、バックライト組立体から出射される光を用いて画像を表示する表示パネルと、
前記バックライト組立体と前記表示パネルとを収納する収納部材とを有することを特徴とする表示装置。
【請求項１２】
前記バックライト組立体は、前記光学部材を支持するように突出され光学部材が前記光源の方向に撓むことを防止する支持部と、前記光源の動きを制止するように光源をホールドする固定部が形成された光源サポートとをさらに有することを特徴とする請求項１１に記載の表示装置。
【請求項１３】
前記バックライト組立体は、前記収納容器の側部には前記光学部材の端部位を支持し、光学部材の収納位置をガイドするガイド部材をさらに有することを特徴とする請求項１１記載の表示装置。
【請求項１４】
前記バックライト組立体は、前記光学部材の周辺部を支持且つガイドし前記ガイド部材と垂直な折曲部をさらに有することを特徴とする請求項１３に記載の表示装置。
【請求項１５】
前記ガイド部材は、前記光源の端部を収納する複数の溝をさらに有し、前記光源の長さの方向と垂直に配置されることを特徴とする請求項１３に記載の表示装置。
【請求項１６】
前記バックライト組立体は、前記収納容器に対応して結合され前記光学部材を固定するモールドフレームをさらに有することを特徴とする請求項１１に記載の表示装置。
【請求項１７】
前記突出部は、前記光源の長さ方向と交差する方向に突出部が延長されることを特徴とする請求項１１に記載の表示装置。
【請求項１８】
前記反射板は、超微細発泡光反射板（ＭＣＰＥＴ：登録商標）であることを特徴とする請求項１１に記載の表示装置。
【請求項１９】
前記表示パネルは、液晶表示パネルであることを特徴とする請求項１１に記載の表示装置。
【請求項２０】
収納容器と、該収納容器に収納されるランプと、前記収納容器に収納され前記ランプ方向に突出し前記ランプと接触する反射板と、前記ランプの上部に配置された光学部材とを有するバックライト組立体と、
前記バックライト組立体上に配置され画像を表示する表示パネルと、
前記バックライト組立体と前記表示パネルとを収納する収納部材とを有することを特徴とする表示装置。
【請求項２１】
前記収納容器は、前記光学部材の端部位を支持し、前記光学部材の収納位置をガイドするために側部に形成された折曲部をさらに有することを特徴とする請求項２０に記載の表示装置。
【請求項２２】
前記ランプは、冷陰極蛍光ランプ（ＣＣＦＬ）または外部電極蛍光ランプ（ＥＥＦＬ）であることを特徴とする請求項２０に記載の表示装置。
【請求項２３】
前記バックライト組立体は、前記ランプを前記収納容器に固定するために、前記ランプの端部に配置され前記収納容器と結合されるランプホルダをさらに有することを特徴とする請求項２０に記載の表示装置。
【請求項２４】
前記表示パネルは、液晶表示パネルであることを特徴とする請求項２０に記載の表示装置。
【請求項２５】
前記表示パネルに駆動信号を提供し液晶表示パネルの液晶配列を調節する駆動回路部をさらに有することを特徴とする請求項２４に記載の表示装置。
【発明の詳細な説明】
【技術分野】
【０００１】
本発明はバックライト組立体及びこれを有する表示装置に関し、より詳細には、製造費用を節減することができる、画像を表示するための光を提供するバックライト組立体及びこれを有する液晶表示装置に関する。
【背景技術】
【０００２】
多様な表示装置中で、一般的な液晶表示装置は液体と固体の中間的な特性を有する液晶の電気、光学的特性を用いて画像を表示する平板表示装置の一つとして、他の表示装置に比べて薄くて軽く、低駆動電圧及び低消費電力を有するという長所があって、産業全般にかけて幅広く使用されている。
【０００３】
このような液晶表示装置は、画像を表示するための液晶表示パネルが自発的に発光できない非発光性素子であるので別途の光を供給するバックライト組立体を必要とする。バックライト組立体は、収納空間を備える収納容器、収納容器に収納され光を発生する光源及び光源の上部に配置され光源から出射される光の輝度特性を向上させる光学部材を含む。
【０００４】
このような液晶表示装置は、その大きさが漸次大型化されるにつれバックライト組立体に含まれる光源、例えば、ランプの大きさも大きくなる。しかし、ランプの大きさが大きくなることによって特定方向への衝撃テストの際、ランプが撓むかランプの固定位置で離脱する現象が発生する。このようなランプの撓みまたは離脱によってランプが破損されるという問題点がある。
【０００５】
また、液晶表示装置が大型化されることにつれて、それに対応する製造費用が大きく上昇するという問題点がある。
【発明の開示】
【発明が解決しようとする課題】
【０００６】
そこで、本発明は上記従来の液晶表示装置のバックライト組立体における問題点に鑑みてなされたものであって、本発明の目的は、製造費用を節減することができるバックライト組立体を提供することにある。
また、本発明の他の目的は、上記のようなバックライト組立体を有する液晶表示装置を提供することにある。
【課題を解決するための手段】
【０００７】
上記目的を達成するためになされた本発明によるバックライト組立体は、基底部、及び該基底部から延長され収納空間を形成する側部を含む収納容器と、前記収納容器に収納され光を発生する光源と、前記収納容器の前記基底部と前記光源との間に位置し、前記光源方向に突出され前記光源を支持する少なくとも一つの突出部を含む反射板と、前記光源の上部に配置された光学部材とを有することを特徴とする。
【０００８】
上記目的を達成するためになされた本発明による表示装置は、基底部、及び該基底部から延長され収納空間を形成する側部を含む収納容器と、前記収納容器に収納され光を発生する光源と、前記収納容器の前記基底部と前記光源との間に位置し前記光源を支持する突出部を有する反射板と、前記光源の上部に配置された光学部材とを有するバックライト組立体と、前記バックライト組立体上に配置され、バックライト組立体から出射される光を用いて画像を表示する表示パネルと、前記バックライト組立体と前記表示パネルとを収納する収納部材とを有することを特徴とする。
【０００９】
また、上記目的を達成するためになされた本発明による表示装置は、収納容器と、該収納容器に収納されるランプと、前記収納容器に収納され前記ランプ方向に突出し前記ランプと接触する反射板と、前記ランプの上部に配置された光学部材とを有するバックライト組立体と、前記バックライト組立体上に配置され画像を表示する表示パネルと、前記バックライト組立体と前記表示パネルとを収納する収納部材とを有することを特徴とする。
【発明の効果】
【００１０】
本発明に係るバックライト組立体及びこれを有する表示装置によれば、特定方向への衝撃の際、ランプが撓まれたりランプの固定位置から離脱されたりする現象を防止することができ、反射板がランプ固定部材などを代替して光学部材を支持することで衝撃に対する信頼性を向上させることができるという効果がある。
ランプを固定する別途の部材を減少させることで製造費用を節減することができ、別途の部材を装着及び脱着する煩わしさを減少させることで組立性を向上させることができるという効果がある。
【発明を実施するための最良の形態】
【００１１】
次に、本発明に係るバックライト組立体及びこれを有する表示装置を実施するための最良の形態の具体例を、図面を参照しながら説明する。
【実施例１】
【００１２】
図１は本発明の第１の実施例によるバックライト組立体を示す分解斜視図であり、図２は図１に示したバックライト組立体のＩ−Ｉ線に沿って切断した断面図であり、図３は図２に示された反射板の他の例を示す断面図である。
【００１３】
図１乃至図３に示すように、本発明の第１の実施例によるバックライト組立体１０００は、収納容器１００、光源２００、反射板３００、光学部材４００、及びモールドフレーム５００を含む。
【００１４】
収納容器１００は、底部１０２、及び底部１０２から延長され収納空間を形成する側部１０４を含む。底部１０２は、一例として、矩形のプレート形状を有する。側部１０４は底部１０２の四つの端部位から延長され収納空間を形成する。側部１０４には光学部材４００の端部位を支持し、光学部材４００の収納位置をガイドする折曲部１０６が形成される。折曲部１０６はランプ２１０の長さ方向と平行な方向に形成された二つの側部１０４のみに形成するか、または四つの側部１０４全部に形成することもできる。収納容器１００は多様な材質からなることができる。例えば、収納容器１００は強度が大きくて加工が容易である金属からなる。
【００１５】
光源２００は収納容器１００に収納され光を発生する。一例として、光源２００は複数のランプ２１０で構成される。ランプ２１０は同一平面上に互いに並行に配置される。例えば、ランプ２１０は細くて長い円筒形状の冷陰極蛍光ランプ（ＣＣＦＬ）からなる。本実施例とは異なり、ランプ２１０は‘Ｕ’字形状に形成することもできる。また、選択的にランプ２１０は外部電極蛍光ランプ（ＥＥＦＬ）からなることも可である。
【００１６】
ランプ２１０はバックライト組立体１０００の輝度均一性のために等間隔に配置されることが望ましく、ランプ２１０の個数は要求される輝度によって多様に変更される。バックライト組立体１０００はランプ２１０を固定するためのランプホルダ２３０、及び、ランプ２１０を発光させるための駆動電圧を出力するインバータ（図示せず）をさらに含むことができる。ランプホルダ２３０はランプ２１０の両端部に配置され、光が発生されないランプ２１０の両端部をカバーする。ランプホルダ２３０は収納容器１００と結合されランプ２１０を収納容器１００に固定する。一つのランプホルダ２３０には互いに隣接した２つのランプ２１０が結合される。また、一つのランプホルダ２３０にはさらに多くの数のランプ２１０を結合することもできる。
【００１７】
反射板３００は、収納容器１００に収納されランプ２１０から発生する光を光出射方向に反射させる。一例として、反射板３００は超微細発砲光反射板（ＭＣＰＥＴ：登録商標）材質を使用する。
【００１８】
反射板３００はランプ２１０の方向に突出しランプと接触する突出部３０１を含む。本実施例においては、突出部３０１がランプ２１０を支持する。突出部３０１は図２に示すように、ランプ２１０の長さ方向と交差する方向に延長するように突出し、望ましくはランプ２１０の長さ方向と実質的に直交する方向に延長するように突出させる。本実施例において、突出部３０１はランプ２１０と接触しているが、ランプ２１０を支持する特定部材を通じてランプ２１０と接触してもよいのである。突出部３０１は光が出射される方向に突出しているので、ランプ２１０がＺ方向に衝撃を受けたときランプ２１０の特定部分に加えられた力が偏ることで発生するランプ２１０の破損現象を防止する。また、反射板３００は突出部３０１によってランプ２１０をいつも支持しているので、表示装置が大型化することによって現れるランプの垂れを防止することができる。
【００１９】
突出部３０１はランプ２１０の配列方向への断面形状が四角形の形状を有する。このとき、突出部３０１がランプ２１０の配列方向への断面形状が半円形、三角形などの形状を有することもできる。突出部３０１は図３に示すように、ランプ２１０の長さ方向と交差する方向に２個以上突出させて形成することもできる。
【００２０】
光学部材４００はランプ２１０の上部に配置される。光学部材４００はランプ２１０から出射される光の輝度特性を向上させ光の効率を増加させる。光学部材４００は拡散板４１０、及び拡散板４１０の上部に配置される光学シート４２０を含む。拡散板４１０はランプ２１０の上部に配置され、ランプ２１０から入射される光を拡散させ出射される光の輝度均一性を向上させる。拡散板４１０は平板形状を有する。一例として、拡散板４１０はポリメチルメタクリレート（ＰＭＭＡ）物質に拡散ビーズが混合されて形成される。光学シート４２０は拡散板４１０の上部に少なくとも一つ以上が配置される。光学シート４２０は拡散板４１０を経て出射される光の経路を変更させ輝度均一度を向上させるか、正面輝度を向上させる役割を遂行する。例えば、光学シート４２０は拡散板４１０を通じて拡散された光を集光させ正面輝度を向上させるための集光シートからなるか、または拡散板４１０を通じて拡散された光を再度拡散させるための拡散シートからなる。バックライト組立体１０００は要求される輝度特性によって多様な特性を有する別途の光学シートを追加または除去可能である。
【００２１】
モールドフレーム５００は、収納容器１００と結合して光学部材４００が動かないように固定する。モールドフレーム５００の上側には後述する表示装置が位置することで、モールドフレーム５００は表示装置を支持する。
【００２２】
バックライト組立体１０００は、光学部材４００の端部位を支持し、光学部材４００の収納位置をガイドするガイド部材６００をさらに含む。一例として、ガイド部材６００の下端部はランプ２１０の端部が挿入されるように溝が形成され、ガイド部材６００の上端部は拡散板４１０及び光学シート４２０の端部位を支持する。ガイド部材６００はランプ２１０の両端部にランプ２１０の長さ方向と垂直するようにそれぞれ配置される。ガイド部材６００は光を効果的に拡散及び反射させる多様な物質によって形成されることが望ましい。例えば、ガイド部材６００はポリカボネート（ＰＣ）材質から形成される。ガイド部材６００の上端部には光学部材４００を固定するための一体の突出部（図示せず）が形成され、光学部材４００がＸ軸、Ｙ軸方向に動くことを防止することもできる。
【００２３】
バックライト組立体１０００は、ランプ固定部材７００をさらに含むことができる。ランプ固定部材７００は光学部材４００を支持し、光学部材４００がランプ２１０の方向に撓むことを防止する支持部７１０、及びランプ２１０がＸ軸方向に動くことを防止する固定部７３０をさらに含む。支持部７１０は円柱形状で拡散板４１０を支持する。固定部７３０は各ランプ２１０がＺ軸方向に動かないようにランプ２１０を固定する。即ち、ランプ２１０の組み立ての際、ランプ２１０を固定部７３０に押さえて挿入することでランプ２１０は固定される。ランプ固定部材７００は収納容器１００の底面部１０２に結合され固定される。
【００２４】
インバータ（図示せず）は収納容器１００の外部に配置される。インバータはランプ２１０の発光のための駆動電圧を出力する。インバータは外部から印加される低電圧の交流電圧をランプ２１０の駆動のための高電圧の交流電圧として出力する。インバータ１７０を通じて出力された駆動電圧は電源印加線（図示せず）を通じてランプ２１０に伝達される。
【００２５】
本実施例によれば、反射板３００はランプ２１０の方向に突出しランプ２１０と接触する突出部３０１を含んで、外部の衝撃からランプ２１０を保護し、ランプ２１０の撓みを防止する。
【実施例２】
【００２６】
図４は本発明の第２の実施例による反射板を示す斜視図である。本発明において、バックライト組立体は図１乃至図３に示した説明と同一の構成を有するので、同一の図面符号を使用し重複された説明は省略する。
【００２７】
図４に示すように、本発明の第２の実施例による反射板３２０は収納容器１００に収納されランプ２１０から発生する光を光出射方向に反射させる。一例として、反射板３２０は超微細発砲光反射板（ＭＣＰＥＴ：登録商標）材質を使用する。反射板３２０はランプ２１０の方向に突出しランプ２１０と接触する突出部３２１を含む。本実施例においては、突出部３２１がランプ２１０を支持する。突出部３２１はランプ２１０の長さ方向と交差する方向に延長されて突出し、望ましくは、ランプ２１０の長さ方向と実質的に直交する方向に延長されて突出させる。突出部３２１はランプ２１０の配列方向への断面が半円形状を有する。突出部３２１はランプ２１０の長さ方向と交差する方向に２個以上突出させ形成することもできる。
【００２８】
本実施例によると、突出部３２１が半円形状の断面を有し突出部３２１の角によってランプ２１０の表面が傷つくことを防止する。
【実施例３】
【００２９】
図５は本発明の第３の実施例による反射板を示す斜視図である。本発明において、バックライト組立体は図１乃至図３を参照して説明したのと同一の構成を有するので、同一の図面番号を使用し重複された説明は省略する。
【００３０】
図５に示すように、本発明の第３の実施例による反射板３４０は収納容器１００に収納されランプ２１０から発生する光を光出射方向に反射する。反射板３４０はランプ２１０の方向に突出しランプ２１０と接触する突出部３４１を含む。本実施例においては、突出部３４１がランプ２１０を支持する。突出部３４１はランプ２１０の長さ方向と交差する方向に延長されて突出し、望ましくは、ランプ２１０の長さ方向と実質的に直交する方向に延長されて突出させる。突出部３４１はランプ２１０の配列方向への断面形状が梯形の形状を有する。
【００３１】
本実施例によると、突出部３４１が梯形の形状の断面形状を有し、ランプ２１０を安定的に支持し、ランプ２１０から出射される光を効果的に反射させることができる。
【実施例４】
【００３２】
図６は本発明の第４の実施例による反射板を示す斜視図である。本実施例において、バックライト組立体は図１乃至図３を参照して説明したのと同一の構成を有するので、同一の図面符号を使用し重複された説明は省略する。
【００３３】
図６に示すように、本発明の第４の実施例による反射板３６０は収納容器１００に収納されランプ２１０から発生する光を光出射方向に反射させる。反射板３６０はそれぞれのランプ２１０に対応する方向に突出されランプ２１０とそれぞれ接触する複数の突出部３６１を含む。本実施例においては、突出部３６１がランプ２１０をそれぞれ支持する。突出部３６１はランプ２１０の配列方向への断面形状が四角形の形状を有する。例えば、突出部３６１はランプ２１０の幅方向を基準にして互いに交互に配置される。
【００３４】
本実施例によれば、反射板３６０が複数の突出部３６１を含んで外部の衝撃によって発生された振動を吸収する。
【実施例５】
【００３５】
図７は本発明の第５の実施例による反射板を示す斜視図である。本実施例において、バックライト組立体は図１乃至図３を参照して説明したのと同一の構成を有するので、同一の図面番号を使用し重複された説明は省略する。
【００３６】
図７に示すように、本発明の第５の実施例による反射板３８０は収納容器１００に収納され、ランプ２１０から発生する光を光出射方向に反射させる。反射板３８０はランプ２１０の方向に突出しランプを支持する突出部３８１及びランプ２１０が安着するように陥凹（ｒｅｃｅｓｓ：リセス）が形成された安着部３８２をさらに含む。このとき、ランプ２１０は突出部３８１の安着部３８２に接触する。本実施例においては、ランプ２１０が安着部３８２によって支持される。安着部３８２の陥凹はランプ２１０の断面形状と実質的に同一の形状を有することが望ましい。このとき、安着部３８２の陥凹はランプ２１０の断面形状と部分的に同一の形状を有することもあり得る。突出部３８１はランプ２１０の長さ方向と交差する方向に延長して突出し、望ましくは、ランプ２１０の長さ方向と実質的に直交する方向に延長して突出させる。このとき、安着部３８２の陥凹がランプ２１０の断面形状と同一の形状を有することで、Ｚ軸方向に加えられた衝撃がランプ２１０の特定領域に偏らないように加えられた衝撃をランプ２１０の表面に分散する。
【００３７】
このように、安着部３８２によってランプ２１０が破損することを防止してバックライト組立体１０００の信頼性を向上させることができる。
【実施例６】
【００３８】
図８は本発明の第６の実施例による表示装置を示す分解斜視図である。図８に示すように、液晶表示装置２０００はバックライト組立体１０００、液晶表示パネル８００及びトップシャーシ９００からなる収納部材を含む。
【００３９】
バックライト組立体１０００は図１乃至図３に示したものと同一であるので、その重複される説明は省略する。
【００４０】
液晶表示パネル８００はバックライト組立体１０００から出射される光を用いて画像を表示する。液晶表示パネル８００は薄膜トランジスタ（以下、ＴＦＴ）基板８１０、ＴＦＴ基板８１０と対向して結合されるカラーフィルタ基板８２０及びこれら２つの基板の間に介在させる液晶８３０で構成される。
【００４１】
ＴＦＴ基板８１０はスイッチング素子であるＴＦＴ（図示せず）がマトリックス形状に形成された透明なガラス基板である。ＴＦＴのソース及びゲート端子にはそれぞれデータ及びゲートラインが連結され、ドレイン端子には透明な導電性材質からなる画素電極（図示せず）が連結される。
【００４２】
カラーフィルタ基板８２０は色画素である（Ｒ、Ｇ、Ｂ）画素（図示せず）が薄膜工程によって形成された基板である。カラーフィルタ基板８２０には透明な導電性材質からなる共通電極（図示せず）が形成される。
【００４３】
液晶８３０は結晶と液体の中間的な状態を有する物質として、単位分子の重心は不規則であるが方向の規則性はある程度保持される状態を有する物質からなる。このような液晶８３０はＴＦＴ基板８１０とカラーフィルタ基板８２０との間に介在させる。そして、外部から伝達される駆動信号によって画素電極と共通電極との間に電界が形成される。この電界によって液晶８３０の方向性が変化し液晶８３０を通じて出射される光の透過度が変わる。従って、液晶表示パネル８００は光の透過度を所望する通りに調節することで、多様な色を有する画像を表示することができる。
【００４４】
液晶表示装置２０００はこのような液晶表示パネル８００を駆動するための駆動回路部８４０をさらに含む。駆動回路部８４０は駆動信号を提供するデータ及びゲート印刷回路基板８４１、８４２及び、データ及びゲート印刷回路基板８４１、８４２から提供される駆動信号を液晶表示パネル８００に印加するデータ及びゲート可撓性回路フィルム８４３、８４４からなる。このとき、データ及びゲート可撓性回路フィルム８４３、８４４それぞれはデータ及びゲート印刷回路基板８４１、８４２から提供される駆動信号を適切なタイミングに液晶表示パネル８００に印加するために駆動信号を制御するデータ及びゲート駆動チップ８４５、８４６をさらに含む。従って、液晶表示パネル８００は駆動回路部８４０から出力された駆動信号に対応して液晶８３０の配列が調節され所望する階調の画像を具現することができる。
【００４５】
トップシャーシ９００は液晶表示パネル８００の上部に配置され、液晶表示パネル８００を固定する。トップシャーシ９００は液晶表示パネル８００の端部位を取り囲みながら収納容器１００に結合され液晶表示パネル８００を固定する。このようなトップシャーシ９００は外部衝撃による液晶表示パネル８００の破損を防止し、液晶表示パネル８００が離脱されることを防止する。
【００４６】
図９は本発明の実施例によるバックライト組立体に対する衝撃シミューレーションの結果を示すグラフである。図９に示したグラフで、Ｘ軸は衝撃の後、経過した時間（ｓｅｃ）、Ｙ軸は衝撃の際ランプに加えられた応力値（ＭＰａ）を示す。実験の結果、衝撃が従来のバックライトに加えられ、時間が経過しながらランプに加えられる応力値（ｂ）の変化がひどかった。このように、応力値（ｂ）が酷く変化すると、衝撃によってランプが破損される恐れがある。これに反して、本発明の実施例のように反射板を突出させると、反射板がランプを支持するので、衝撃の際、ランプの応力値（ａ）が安定的に減少できた。
【００４７】
以上、本発明を実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００４８】
【図１】本発明の第１の実施例によるバックライト組立体を示す分解斜視図である。
【図２】図１に示したバックライト組立体のＩ−Ｉ線に沿って切断した断面図である。
【図３】図２に示された反射板の他の例を示す断面図である。
【図４】本発明の第２の実施例による反射板を示す斜視図である。
【図５】本発明の第３の実施例による反射板を示す斜視図である。
【図６】本発明の第４の実施例による反射板を示す斜視図である。
【図７】本発明の第５の実施例による反射板を示す斜視図である。
【図８】本発明の第６の実施例による表示装置を示す分解斜視図である。
【図９】本発明の実施例によるバックライト組立体に対する衝撃シミューレーションの結果を示すグラフである。
【符号の説明】
【００４９】
１０００    バックライト組立体
１００    収納容器
２００    光源
３００、３２０、３４０、３６０、３８０    反射板
３０１、３２１、３４１、３６１、３８１    突出部
３８２    安着部
４００    光学部材
５００    モールドフレーム
６００    ガイド部材
７００    ランプ固定部材
８００    液晶表示パネル
８４０    駆動回路部
９００    トップシャーシ
２０００    液晶表示装置
【図１】
2006216540.tif 000003
【図２】
2006216540.tif 000004
【図３】
2006216540.tif 000005
【図４】
2006216540.tif 000006
【図５】
2006216540.tif 000007
【図６】
2006216540.tif 000008
【図７】
2006216540.tif 000009
【図８】
2006216540.tif 000010
【図９】
2006216540.tif 000011